(57)【要約】【課題】電動機を適切に保護可能である回転式破砕混合調理器を提供することを課題とする。【解決手段】本発明に係る回転式破砕混合調理器１００は、「第１開口Ｏｕ１を含む第１天壁部１１１ｂを有する筐体１１１と、筐体に収容される電動機１１５と、電動機から第１開口を通って上方に向かう回転軸１１６Ａ，１５１ｅとを有する本体１１０」と、「底壁部１５１ｂ，１５１ｉと、底壁部の上側において回転軸に連結される回転刃１５１ｄとを有し、本体に載置される容器１５０」とを備え、筐体には、回転軸が通る第２開口Ｏｕ３を含む第２天壁部１１３Ａと、第２側壁部１１３Ｄとを有し電動機を収容する電動機収容体１１３が収容され、第２天壁部には、第２開口の縁から上方に向かう第２筒壁部１１３Ｂと、第２筒壁部を囲うように立設される囲い壁部１１３Ｃとが存在し、第２筒壁部と囲い壁部との間の空間に連通する通路が第２側壁部の外側に形成される。【選択図】図１２
2020116101.tif 000002
【特許請求の範囲】
【請求項１】
第１開口が形成される第１天壁部を有する筐体と、前記筐体に収容される電動機と、前記電動機から前記第１開口を通って上方に向かって延びる回転軸とを有する本体と、
底壁部と、前記底壁部の上側に配設されると共に前記回転軸に連結される回転刃とを有し、前記本体に載置される容器と、を備え、
前記筐体には、平面透視において前記第１開口の内側に位置し前記回転軸が通る第２開口が形成される第２天壁部と、前記第２天壁部の縁から下方に向かって延びる第２側壁部とを有し前記電動機を収容する電動機収容体が収容されており、
前記第２天壁部には、前記第２開口の縁から上方に向かって延びる第２筒壁部と、前記第２筒壁部を囲うように上面から立設される囲い壁部とが形成されており、
前記第２側壁部の外側には、前記第２筒壁部と前記囲い壁部との間の空間に連通する通路が形成される回転式破砕混合調理器。
【請求項２】
前記第２筒壁部は、前記囲い壁部よりも高い請求項１に記載の回転式破砕混合調理器。
【請求項３】
前記囲い壁部と前記第１天壁部とに密着する密着部材とをさらに備える請求項１または２に記載の回転式破砕混合調理器。
【請求項４】
前記第２側壁部の外側には、電気部品が配設されており、
前記通路は、前記電気部品の配設側の逆側に形成されている
請求項１〜３のいずれか１項に記載の回転式破砕混合調理器。
【請求項５】
前記回転軸は、前記電動機から上方に向かって延びる駆動側回転軸と、前記回転刃の回転中心から下方に向かって延びる従動側回転軸とに分割されており、
前記本体は、前記筐体の前記第１天壁部の上側に配設されると共に前記駆動側回転軸の上端に接合される駆動側連結部をさらに有し、
前記容器は、前記底壁部の下側に配設されると共に前記従動側回転軸の下端に接合されており前記本体に装着された際に前記駆動側連結部と連結する従動側連結部をさらに有し、
前記従動側連結部は、平面透視において前記第１開口を覆っており、
前記第２開口は、平面透視において前記第１開口内に位置している
請求項１〜４のいずれか１項に記載の回転式破砕混合調理器。
【請求項６】
前記電動機収容体の内側には、平面透視において前記第２開口の内側に位置し前記回転軸が通る第３開口が形成される第３天壁部と、前記第３天壁部の縁から下方に向かって延びる第３側壁部とを有し前記電動機を部分的に覆う電動機カバーが配設されており、
前記駆動側連結部は、前記駆動側回転軸を受ける軸受け部を有し、
前記駆動側回転軸および前記軸受け部は、平面透視において、前記第３開口を覆っている請求項５に記載の回転式破砕混合調理器。
【請求項７】
前記電動機収容体の内側には、前記回転軸が通る第３開口が形成される第３天壁部と、前記第３天壁部の縁から下方に向かって延びる第３側壁部とを有し前記電動機を部分的に覆う電動機カバーが配設されている、請求項１〜４のいずれか１項に記載の回転式破砕混合調理器。
【請求項８】
前記第３天壁部には、前記第３開口の縁から上方に向かって延びる第３筒壁部が形成されている請求項６または７に記載の回転式破砕混合調理器。
【請求項９】
切り欠き部を有し前記第３側壁部の外周面と前記第２側壁部の内周面とに部分的に密着する環状の密着部材をさらに備える請求項６〜８のいずれか１項に記載の回転式破砕混合調理器。
【請求項１０】
前記第３側壁部には貫通孔が形成されており、
前記貫通孔の上側部分の外面が前記貫通孔の下側部分の内面よりも外側に位置している請求項６〜９のいずれか１項に記載の回転式破砕混合調理器。
【発明の詳細な説明】
【技術分野】
【０００１】
本発明は、ミキサーやフードプロセッサ等の回転式破砕混合調理器に関する。
【背景技術】
【０００２】
過去に「電動機を内蔵した電動調理器本体と、前記電動調理器本体内に設け上下動する安全ピンと、調理物を投入する容器と、前記電動機により回転駆動されるカッターと、前記カッターを内設し前記容器を螺合嵌合により装着し前記電動調理器本体に装着される容器台と、前記容器台内側面に設け上下動する安全レバーとを備え、前記容器を容器台に嵌合装着したときは前記容器に形成した螺子山にて安全レバーを押し下げ、前記容器を容器台から外すときは前記螺子山にて安全レバーを引き上げる構成とした電動調理器（例えば、特開２０１０−１９４０２０号公報参照。）」が提案されている。
【先行技術文献】
【特許文献】
【０００３】
【特許文献１】特開２０１０−１９４０２０号公報
【発明の概要】
【発明が解決しようとする課題】
【０００４】
ところで、上述のような電動調理器では、例えば、液状物（例えば、水洗時の水や、容器中の液状調理物が漏れ出た際の漏出物等）が電動調理器本体の筐体の上に落ちてきた場合、電動調理器本体と下コネクタとの隙間から液状物が浸入して電動機まで至ることがある。電動機が液状物に触れると、電動機の故障の原因となってしまう。
【０００５】
本発明の課題は、電動機を適切に保護することができる電動調理器（回転式破砕混合調理器）を提供することである。
【課題を解決するための手段】
【０００６】
本発明に係る回転式破砕混合調理器は、
第１開口が形成される第１天壁部を有する筐体と、前記筐体に収容される電動機と、前記電動機から前記第１開口を通って上方に向かって延びる回転軸とを有する本体と、
底壁部と、前記底壁部の上側に配設されると共に前記回転軸に連結される回転刃とを有し、前記本体に載置される容器と、を備え、
前記筐体には、平面透視において前記第１開口の内側に位置し前記回転軸が通る第２開口が形成される第２天壁部と、前記第２天壁部の縁から下方に向かって延びる第２側壁部とを有し前記電動機を収容する電動機収容体が収容されており、
前記第２天壁部には、前記第２開口の縁から上方に向かって延びる第２筒壁部と、前記第２筒壁部を囲うように上面から立設される囲い壁部とが形成されており、
前記第２側壁部の外側には、前記第２筒壁部と前記囲い壁部との間の空間（以下「液状物受け空間」という。）に連通する通路（以下「外側排液通路」という。）が形成される。
【０００７】
上記構成によれば、例えば、第１開口から液状物（例えば、水洗時の水や、容器中の液状物が漏れ出た際の漏出物等）が浸入してきた際に、その液状物の一部または全部を液状物受け空間で受けて外側排液通路に流すことができる。このため、本発明では、上述のような場合において、電動機まで到達する液状物の量を低減するか、液状物が電動機まで到達することを抑制することができる。したがって、本発明では、電動機を適切に保護することができる。
【０００８】
本発明では、前記第２筒壁部は、前記囲い壁部よりも高いと好適である。
【０００９】
上記構成によれば、液状物受け空間から液状物が溢れ出す場合、液状物は囲い壁部側から溢れ出すことになる。このため、本発明では、電動機まで到達する液状物の量をさらに低減するか、液状物が電動機まで到達することを抑制することができる。
【００１０】
本発明では、
前記囲い壁部と前記第１天壁部とに密着する密着部材とをさらに備えると好適である。
【００１１】
上記構成によれば、液状物が、囲い壁部と第１天壁部との間に浸入することを防止することができる。
【００１２】
本発明では、
前記第２側壁部の外側に電気部品が配設されており、
前記通路が、前記電気部品の配設側の逆側に形成されていると好適である。
【００１３】
上記構成によれば、電気部品まで到達する液状物の量をさらに低減するか、液状物が電気部品まで到達することを抑制することができる。
【００１４】
本発明では、
前記回転軸が、前記電動機から上方に向かって延びる駆動側回転軸と、前記回転刃の回転中心から下方に向かって延びる従動側回転軸とに分割されており、
前記本体が、前記筐体の第１天壁部の上側に配設されると共に前記駆動側回転軸の上端に接合される駆動側連結部をさらに有し、
前記容器が、前記底壁部の下側に配設されると共に前記従動側回転軸の下端に接合されており前記本体に装着された際に前記駆動側連結部と連結する従動側連結部をさらに有し、
前記従動側連結部が、平面透視において前記第１開口を覆っており、
前記第２開口が、平面透視において前記第１開口内に位置していると好適である。
【００１５】
上記構成によれば、例えば、液状物（例えば、水洗時の水や、容器中の液状物が漏れ出た際の漏出物等）が本体に落ちてきた場合、その液状物は従動側連結部か第１天壁部に落ちる。そして、従動側連結部に落ちた液状物は、従動側連結部の外側に移動して従動側連結部の縁から第１天壁部に落ちて第１開口の縁から液状物受け空間に落ちることになる。一方、第１天壁部に落ちた液状物は、第１開口の縁から液状物受け空間に落ちることになる。このため、本発明では、上述のような場合において、電動機まで到達する液状物の量を極めて低減するか、液状物が電動機まで到達することを抑制することができる。
【００１６】
本発明では、
前記電動機収容体の内側に、平面透視において前記第２開口の内側に位置し前記回転軸が通る第３開口が形成される第３天壁部と、前記第３天壁部の縁から下方に向かって延びる第３側壁部とを有し前記電動機を部分的に覆う電動機カバーが配設されており、
前記駆動側連結部が、前記駆動側回転軸を受ける軸受け部を有し、
前記駆動側回転軸および前記軸受け部が、平面透視において、前記第３開口を覆っていると好適である。
【００１７】
上記構成によれば、例えば、液状物（例えば、水洗時の水や、容器中の液状物が漏れ出た際の漏出物等）が本体に落ちてきて、その液状物が駆動側回転軸の軸受け部を伝い落ちてくるようなことがあっても、第３開口に浸入する液状物の量を低減するか、液状物が第３開口に浸入することを抑制することができる。このため、本発明では、上述のような場合において、電動機まで到達する液状物の量を極めて低減するか、液状物が電動機まで到達することを抑制することができる。
【００１８】
本発明では、
前記電動機収容体の内側に、前記回転軸が通る第３開口が形成される第３天壁部と、前記第３天壁部の縁から下方に向かって延びる第３側壁部とを有し前記電動機を部分的に覆う電動機カバーが配設されていると好適である。
【００１９】
上記構成によれば、例えば、第１開口から液状物（例えば、水洗時の水や、容器中の液状物が漏れ出た際の漏出物等）が浸入してきた場合であっても、電動機まで到達する液状物の量を極めて低減するか、液状物が電動機まで到達することを抑制することができる。
【００２０】
本発明では、
前記第３天壁部には、前記第３開口の縁から上方に向かって延びる第３筒壁部が形成されていると好適である。
【００２１】
上記構成によれば、例えば、第１開口から液状物（例えば、水洗時の水や、容器中の液状物が漏れ出た際の漏出物等）が浸入してきた場合であっても、電動機まで到達する液状物の量を極めて低減するか、液状物が電動機まで到達することを抑制することができる。
【００２２】
本発明では、
切り欠き部を有し前記第３側壁部の外周面と前記第２側壁部の内周面とに部分的に密着する環状の密着部材をさらに備えると好適である。
【００２３】
上記構成によれば、前記第３側壁部と前記第２側壁部との間に生じる隙間の幅を一定することができると共に、第２開口から第３天壁部に落ちた液状物を下方へと導くことができる。このため、本発明では、電動機や電気部品まで到達する液状物の量を極めて低減するか、液状物が電動機や電気部品まで到達することを抑制することができる。
【００２４】
本発明では、
前記第３側壁部に貫通孔が形成されており、
前記貫通孔の上側部分の外面が前記貫通孔の下側部分の内面よりも外側に位置していると好適である。
【００２５】
上記構成によれば、貫通孔を介して電動機の排熱を行うことができると共に、貫通孔の上方から液状物が落ちてくる場合であっても、電動機カバー内に浸入する液状物の量を低減するか、液状物が電動機カバー内に浸入してくることを抑制することができる。
【図面の簡単な説明】
【００２６】
【図１】本発明の実施の形態に係るミキサーの正面面図である。
【図２】本発明の実施の形態に係るミキサーの平面図である。
【図３】図２のＡ−Ａ断面図である。
【図４】図２のＢ−Ｂ断面図である。
【図５】本発明の実施の形態に係るミキサーを構成する本体の上方斜視図である。
【図６】図３の駆動側カップリング付近の拡大図である。
【図７】本発明の実施の形態に係るミキサーを構成する本体から駆動側カップリングを取り外した状態の平面図である。
【図８】図３の底側部材付近の拡大図である。
【図９】図４の底壁部材付近の拡大図である。
【図１０】本発明の実施の形態に係るミキサーの底面図である。
【図１１】本発明の実施の形態に係るミキサーを構成する本体から駆動側カップリング、本体部材、装飾部材および透明カバーを取り外した状態の平面図である。
【図１２】本発明の実施の形態に係るミキサーを構成する本体から駆動側カップリング、本体部材、装飾部材および透明カバーを取り外した状態の斜視図である。
【図１３】本発明の実施の形態に係るミキサーを構成する本体から調芯プランジャーを取り外した状態の上方斜視図である。
【図１４】本発明の実施の形態に係るミキサーを構成する調芯プランジャー付近の簡易断面図である。
【図１５】本発明の実施の形態に係るミキサーを構成するカップの下方斜視図である。
【図１６】図６のカッター付き底壁部材付近の拡大図である。
【図１７】本発明の実施の形態に係るミキサーの本体における電動機カバーの第２口部、内ケースの第３口部、内ケースの部分囲い壁部、上側駆動シャフト、駆動側カップリング、駆動側カップリングの軸受け部、筐体の第１天壁開口、内ケースの第３天壁開口および電動機カバーの第２天壁開口の位置関係を示す平面透視図である。
【発明を実施するための形態】
【００２７】
本発明の実施の形態に係るミキサー１００は、図１および図２に示されるように、主に、本体１１０、カップ１５０および蓋体１６０から構成される。なお、本体１１０、カップ１５０および蓋体１６０はそれぞれ独立した組立部品であり、ミキサー１００は、これらの組立部品が組み立てられることにより完成される。
【００２８】
以下、これらの組立部品についてそれぞれ詳述した後に、ミキサー１００の組立方法およびミキサー１００の動作について説明する。なお、以下の説明において、操作ノブ（後述）１２０が配設されている側の面を正面と規定することに留意されたい。
【００２９】
＜ミキサーの組立部品＞
（１）本体
本体１１０は、図３および図４に示されるように、主に、筐体１１１、電動機カバー１１２、内ケース１１３、第１環状シール部材１１４、電動機１１５、上側駆動シャフト１１６Ａ、下側駆動シャフト１１６Ｂ、駆動側カップリング１１７、冷却ファン１１８、調芯プランジャー１１９、操作ノブ１２０、回路基板（図示せず）、回路保護装置１２１、本体側安全機構１２２および電気プラグコード１２３から構成されている。以下、これらの構成要素について詳述する。
【００３０】
（１−１）筐体
筐体１１１は、図１〜図６に示されるように、主に、本体部材１１１Ａ、底壁部材１１１Ｂ、脚１１１Ｃ、装飾部材１１１Ｄ、透明カバー１１１Ｅおよび給気通路形成板１１１Ｆから構成されている。以下、これらの部材について詳述する。
【００３１】
本体部材１１１Ａは、図３〜図６に示されるように、主に、第１側壁部１１１ａ、第１天壁部１１１ｂ、円筒台座部１１１ｃおよび本体側安全機構収容部１１１ｌから構成されている。第１側壁部１１１ａは、樹脂成形体であって、図１、図２および図５に示されるように略切頭四角錐筒形状を呈している。第１天壁部１１１ｂは、図３〜図６に示されるように円環状の壁部位であって、第１側壁部１１１ａの上側の中央部分を覆っている。なお、図６、図７および図１３に示されるように、この第１天壁部１１１ｂの中央には開口（以下、この開口を「第１天壁開口」という。）Ｏｕ１が形成されている。なお、この第１天壁開口Ｏｕ１は、図７に示されるように、円の右斜め前方の部位、右斜め後方の部位および左方の部位それぞれを半径方向外方に向かって引き伸ばした形状を呈している。そして、この第１天壁開口Ｏｕ１の内側には、図６、図７および図１７に示されるように、内ケース１１３の第３口部１１３Ｂ、駆動側カップリング１１７の軸受け部１１７Ａ、電動機カバー１１２の第２口部１１２Ｂ、および、上側駆動シャフト１１６Ａが存在している。なお、図６から明らかなように、第１天壁開口Ｏｕ１の中央部分には上側駆動シャフト１１６Ａが存在し、その上側駆動シャフト１１６Ａの直ぐ外側に駆動側カップリング１１７の軸受け部１１７Ａが存在し（上側駆動シャフト１１６Ａは、その軸受け部１１７Ａの内側に挿通されて締結されている。）、駆動側カップリング１１７の軸受け部１１７Ａの外側であって駆動側カップリング１１７の軸受け部１１７Ａから離れた位置に内ケース１１３の第３口部１１３Ｂが存在している。円筒台座部１１１ｃは、図５および図６に示されるように円錐筒壁部Ｗａ、円環上端壁部Ｗｂおよび円筒壁部Ｗｃから形成される略円筒形状の二重壁部位であって、本体部材１１１Ａの上側の外周部位に形成されている。すなわち、この円筒台座部１１１ｃは、第１側壁部１１１ａおよび第１天壁部１１１ｂの上側に位置するように形成されている。このため、この円筒台座部１１１ｃの内側には、略円柱形の空間（以下「円筒形内部空間」という。）Ｓｃが存在している（図５参照）。また、図５〜図７および図１３に示されるように、円筒壁部Ｗｃには３つの角柱凹部Ｒｒ、３つの部分円柱凹部Ｒｃおよび６つの調芯プランジャー収容部Ｒｐが形成されている。図５および図７に示されるように、３つの角柱凹部Ｒｒおよび３つの部分円柱凹部Ｒｃは、交互かつ等間隔に配設されており、平面視において駆動側カップリング１１７の回転中心を挟んで対向している。また、部分円柱凹部Ｒｃの一つは、本体側安全機構収容部１１１ｌの近傍に形成されている。６つの調芯プランジャー収容部Ｒｐは、調芯プランジャー１１９を収容するための略直方体状部位であって、図１３に示されるように、角柱凹部Ｒｒと部分円柱凹部Ｒｃとの間に形成されている。また、図１３に示されるように、この調芯プランジャー収容部Ｒｐの下部には、円筒壁部Ｗｃの半径方向に沿って延びるレール部ＲＬが設けられている。そして、調芯プランジャー１１９は、このレール部ＲＬに沿って出没可能に配設される。本体側安全機構収容部１１１ｌは、図５および図６に示されるように第１側壁部１１１ａの右側壁Ｗｄの上側に形成される略逆三角錐状の壁部位であって、図３に示されるようにその内部に本体側安全機構１２２を収容している。
【００３２】
底壁部材１１１Ｂは、本体部材１１１Ａの下側に取り付けられる部材であって、図８〜図１０に示されるように、主に、底壁本体部１１１ｄ、給気経路形成壁部１１１ｅ、給気口形成部１１１ｆ、円筒壁部１１１ｇ、排気案内リブ１１１ｈ、給排気分割壁部１１１ｉ、第１排水部１１１ｊおよび第２排水部１１１ｋから形成されている。底壁本体部１１１ｄは、角椀状の基本部位である。給気口形成部１１１ｆは、底面視において底壁本体部１１１ｄの略中央に位置する部位である。そして、この給気口形成部１１１ｆには、文字通り、給気口Ｍｓが形成されている。給気経路形成壁部１１１ｅは、図１０に示されるように底面視においてＵ字形もしくは馬蹄形を呈する壁部位であって、底面視において開端側が左側、すなわち、本体１１０にカップ１５０が装着された状態におけるカップ１５０の注ぎ口側を向き、湾曲側が右側、すなわち、本体１１０にカップ１５０が装着された状態におけるカップ１５０の取っ手１５２の配設側を向くように形成されている。円筒壁部１１１ｇは、文字通り円筒形状を呈する壁部位であって、図８に示されるように給気口形成部１１１ｆの外周縁部から上方に向かって延びている。排気案内リブ１１１ｈは、図８および図１０に示されるように底面視において給気経路形成壁部１１１ｅの湾曲側における底壁本体部１１１ｄの外周部位に形成される複数の突起であって、その更に外周側に形成される排気口Ｍｅから排出される排気を外方に案内する役目を担っている。給排気分割壁部１１１ｉは、図１０に示されるように給気経路形成壁部１１１ｅの正面側の外側面から操作ノブ１２０の配設側に向かって延びると共に、給気経路形成壁部１１１ｅの背面側の外側面から操作ノブ１２０の配設側の反対側に向かって延びており、排気口Ｍｅから排出される排気が再び給気口Ｍｓから本体１１０の内部に取り込まれないようにその排気を遮断する役目を担っている。第１排水部１１１ｊおよび第２排水部１１１ｋは、本体１１０の内部に液状物が浸入した場合にその液状物を本体１１０の外部に排出する役目を担う部位であって、図１０に示されるように底壁本体部１１１ｄの左側中央および背面側中央に形成されている。
【００３３】
脚１１１Ｃは、図８〜図１０に示されるように底壁本体部１１１ｄの四隅から下方に向かって延びている。
【００３４】
装飾部材１１１Ｄは、切頭円錐筒形状を呈する加飾板、加飾箔、加飾フィルム等であって、図６に示されるように本体部材１１１Ａの円筒台座部１１１ｃの円錐筒壁部Ｗａと透明カバー１１１Ｅとの間に配設されている。
【００３５】
透明カバー１１１Ｅは、装飾部材１１１Ｄを視認可能に保護する部材であって、図３および図４に示されるように、装飾部材１１１Ｄを挟むようにして本体部材１１１Ａの円筒台座部１１１ｃの上側および外側を覆っている。この透明カバー１１１Ｅは、図５〜図７に示されるように、主に、円環状の上端壁部１１１ｍおよび略切頭円錐筒形の外側壁部１１１ｎから形成されている。そして、図５に示されるように、上端壁部１１１ｍの上端面には、円周方向に沿って等間隔に突起部Ｐｒが形成されている。また、図５および図７に示されるように、この上端壁部１１１ｍの内周側は、本体部材１１１Ａの角柱凹部Ｒｒおよび部分円柱凹部Ｒｃに対応する位置がそれぞれ切り欠かれている。
【００３６】
給気通路形成板１１１Ｆは、底壁部材１１１Ｂに形成される給気経路形成壁部１１１ｅの下側を覆う板材であって、給気経路形成壁部１１１ｅの下端に接合されている。その結果は、給気通路形成板１１１Ｆと給気経路形成壁部１１１ｅとは、左側から中央側に向かって延びる給気通路Ｐｓを形成している（図３、図４、図８および図９参照）。なお、この給気通路Ｐｓの空気取込口の大きさは人の指が入らない程度とされている。
【００３７】
（１−２）電動機カバー
電動機カバー１１２は、図３および図４に示されるように、有蓋無底の略円筒体であって、主に、第２天壁部１１２Ａ、第２口部１１２Ｂ、第２側壁部１１２Ｃ、シール部材保持部１１２Ｄおよびフランジ部１１２Ｅから構成されている。そして、この電動機カバー１１２の内部には、電動機１１５が収容されている。第２天壁部１１２Ａは、略円盤状の壁部位である。そして、図６に示されるように、この第２天壁部１１２Ａの中央部分には、円形の開口（以下、この開口を「第２天壁開口」という。）Ｏｕ２が形成されている。第２口部１１２Ｂは、円筒形状を呈する壁部位であって、図６に示されるように第２天壁部１１２Ａの第２天壁開口Ｏｕ２の縁部から上方に向かって延びている。なお、図６に示されるように、第２天壁開口Ｏｕ２および第２口部１１２Ｂの内部空間には上側駆動シャフト１１６Ａが挿通されている。第２側壁部１１２Ｃは、略円筒形状を呈する壁部位であって、図３、図４および図６に示されるように第２天壁部１１２Ａの外縁部から下方に向かって延びている。また、この第２側壁部１１２Ｃには、図３に示されるように開口（以下、この開口を「第２側壁開口」という。）Ｏｓ２が形成されている。この第２側壁開口Ｏｓ２は、電動機１１５から生じる熱を外部に排出する役割を担っている。また、この第２側壁開口Ｏｓ２の上側部分の外面は、第２側壁開口Ｏｓ２の下側部分の内面よりも外側に位置している。シール部材保持部１１２Ｄは、図３に示されるように上下一対の円環部位であって、第２側壁部１１２Ｃの上側部位に形成されている。そして、このシール部材保持部１１２Ｄによって形成される円環溝に第１環状シール部材１１４が嵌め込まれる。フランジ部１１２Ｅは、円環部位であって、図３、図４、図８および図９に示されるように第２側壁部１１２Ｃの下端から水平面に沿って外方に向かって延びている。そして、図８および図９に示されるようにこのフランジ部１１２Ｅの下側には、冷却ファン１１８の取付翼部１１８Ｃを介して冷却ファン１１８が取り付けられている。
【００３８】
（１−３）内ケース
内ケース１１３は、図３、図４および図１２に示されるように、有蓋無底の略円筒体であって、主に、第３天壁部１１３Ａ、第３口部１１３Ｂ、部分囲い壁部１１３Ｃ、第３側壁部１１３Ｄ、溝形成壁部１１３Ｅ、垂直リブ１１３Ｆおよび回路保護装置保持部１１３Ｇから構成されている。そして、この内ケース１１３の内部には、電動機１１５および電動機カバー１１２が収容されている。第３天壁部１１３Ａは、略円盤状の壁部位である。そして、図６に示されるように、この第３天壁部１１３Ａの中央部分には、円形の開口（以下、この開口を「第３天壁開口」という。）Ｏｕ３が形成されている。第３口部１１３Ｂは、円筒形状を呈する壁部位であって、図６に示されるように第３天壁部１１３Ａの第３天壁開口Ｏｕ３の縁部から上方に向かって延びている。なお、図６に示されるように、第３天壁開口Ｏｕ３および第３口部１１３Ｂの内部空間には、駆動側カップリング１１７の軸受け部１１７Ａ、および、上側駆動シャフト１１６Ａが存在している。なお、図６から明らかなように、第３天壁開口Ｏｕ３および第３口部１１３Ｂの中心部分には上側駆動シャフト１１６Ａが存在し、その上側駆動シャフト１１６Ａの直ぐ外側に駆動側カップリング１１７の軸受け部１１７Ａが存在する（上側駆動シャフト１１６Ａは、その軸受け部１１７Ａの内側に挿通されて締結されている。）。また、この第３口部１１３Ｂは、図６および図７に示されるように第１天壁１１１ｂの第１天壁開口Ｏｕ１の内側に位置している。部分囲い壁部１１３Ｃは、図１１に示されるように第３口部１１３ｂを部分的に囲うように形成されている。図６に示されるように、この部分囲い壁部１１３Ｃの上端面は第３口部１１３Ｂの上端面よりも低くなるように設計されている。また、この図６に示されるように、この部分囲い壁部１１３Ｃの上端面には溝が形成されており、この溝に線状シール部材ＳＬ１が嵌め込まれている。この線状シール部材ＳＬ１は、ゴムやエラストマーからなる線状の弾性部材であって、第１天壁部１１１ｂのうち第１天壁開口Ｏｕ１の縁の外側部分の下面に密着している（図１７等参照）。この部分囲い壁部１１３Ｃと第３口部１１３Ｂとの間の空間は、第１天壁開口Ｏｕ１を通って落下してくる液状物（例えば、水洗時の水や、カップ１５０中の液状調理物が漏れ出た際の漏出物等）を受ける貯液空間としての役目を担っている。第３側壁部１１３Ｄは、略円筒形状を呈する壁部位であって、図３、図４および図６に示されるように第３天壁部１１３Ａの外縁部から下方に向かって延びている。また、この第３側壁部１１３Ｄには、図３および図１２に示されるように２つの開口（以下、これらの開口をそれぞれ「第３１側壁開口」、「第３２側壁開口」という。）Ｏｓ３１，Ｏｓ３２が形成されている。なお、第３１側壁開口Ｏｓ３１および第３２側壁開口Ｏｓ３２は、電動機１１５から生じる熱を外部に排出する役割を担っている。溝形成壁部１１３Ｅは、図１２に示されるように一対の対向する平行な平板状の壁部位であって、図１１および図１２に示されるように、部分囲い壁部１１３Ｃの端部から第３側壁部１１３Ｄの外側面に沿って下方に向かって延びるように形成されている。すなわち、部分囲い壁部１１３Ｃと第３口部１１３Ｂとの間の空間に流入する液状物は、この溝形成壁部１１３Ｅの溝を通って下方へと流れることになる。垂直リブ１１３Ｆは、図１２に示されるように第３１側壁開口Ｏｓ３１と第３２側壁開口Ｏｓ３２との間に位置する第３側壁部１１３Ｄの部位から外方に向かって延びており、第３１側壁開口Ｏｓ３１から流出する排気の排出経路と、第３２側壁開口Ｏｓ３２から流出する排気の排出経路とを部分的に分離している。回路保護装置保持部１１３Ｇは、回路保護装置１２１を保持する部位であって、第３１側壁開口Ｏｓ３１の一部を覆うように配設されている。
【００３９】
（１−４）第１環状シール部材
第１環状シール部材１１４は、ゴムやエラストマーからなる略円環状の弾性部材である。そして、この第１環状シール部材１１４の外周部位には等間隔に切り欠き（図示せず）が形成されている。そして、この第１環状シール部材１１４は、図３および図４に示されるように電動機カバー１１２のシール部材保持部１１２Ｄの円環溝に嵌め込まれると共に、内ケース１１３の上側部分の内周面に部分的に当接している。すなわち、電動機カバー１１２の外周面と内ケース１１３の内周面との間に形成される空間は、第１環状シール部材１１４によって上下に分けられることになるが、上側の空間と下側の空間は第１環状シール部材１１４の切り欠きを介して連通することになる。
【００４０】
（１−５）電動機
電動機１１５は、図３および図４に示されるように、インナーロータ型の両軸電動機であって、上述の通り、電動機カバー１１２に収容されており、本体１１０の筐体１１１の中央付近に配設されている。そして、この電動機１１５は、図４に示されるように可変抵抗器ＶＲに接続されており、その可変抵抗器ＶＲのツマミが回転操作されることによってその回転速度が制御される。なお、図４に示されるように、可変抵抗器ＶＲのツマミに操作ノブ１２が取り付けられている。
【００４１】
（１−６）上側駆動シャフト
【００４２】
上側駆動シャフト１１６Ａは、図３および図４に示されるように、電動機１１５の回転子の上端から上方に向かって延びている。そして、この上側駆動シャフト１１６Ａの上端部は、駆動側カップリング１１７の軸受け部１１７Ａの内側に挿通されて締結されている。
【００４３】
（１−７）下側駆動シャフト
下側駆動シャフト１１６Ｂは、図３および図４に示されるように、電動機１１５の回転子の下端から下方に向かって延びている。そして、図８および図９に示されるように、この下側駆動シャフト１１６Ｂの下端部は、冷却ファン１１８のファン１１８Ａの回転中心に接合されている。
【００４４】
（１−８）駆動側カップリング
上述の通り、駆動側カップリング１１７には軸受け部１１７Ａが設けられており、この軸受け部１１７Ａに上側駆動シャフト１１６Ａの上端部が挿入されて締結されている。そして、この駆動側カップリング１１７は、ミキサー１００が組み立てられた状態において本体側の上側駆動シャフト１１６とカップ側の従動シャフト１５１ｅとを連結する役割を担う（図３および図４参照）。また、この軸受け部１１７Ａの外周面は、図６および図１７に示されるように電動機カバー１１２の第２口部１１２Ｂの外周面の外側に位置している。
【００４５】
（１−９）冷却ファン
冷却ファン１１８は、軸流ファンであって、図８および図９に示されるように、主に、ファン１１８Ａ、ファン筐体１１８Ｂおよび取付翼部１１８Ｃから構成されている。ファン１１８Ａは、回転可能なようにファン筐体１１８Ｂに組み込まれている。そして、このファン１１８Ａの回転中心には、上述の下側駆動シャフト１１６Ｂが接合されている。すなわち、電動機１１５が駆動されると、下側駆動シャフト１１６Ｂを介してその回転動力がファン１１８Ａに伝達され、その結果、ファン１１８Ａが回転される。ファン筐体１１８Ｂは、上述の通り、ファン１１８Ａを回転可能に軸支している。取付翼部１１８Ｃは、冷却ファン１１８を電動機カバー１１２のフランジ部１１２Ｅに取り付けるための部位であって、図８および図９に示されるようにファン筐体１１８Ｂから外側に向かって延びている。そして、上述の通り、この冷却ファン１１８は、取付翼部１１８Ｃを介して電動機カバー１１２のフランジ部１１２Ｅの下側に取り付けられている。また、図８および図９に示されるように、ファン筐体１１８Ｂの下面には、第２環状シール部材ＳＬ２を介して底壁部材１１１Ｂの円筒壁部１１１ｇが密接している。なお、ここで、第２環状シール部材ＳＬ２は、ゴムやエラストマーからなる略円環状の弾性部材である。すなわち、ファン１１８Ａが回転すると、外部の空気が給気通路Ｐｓ、給気口Ｍｓおよび円筒壁部１１１ｇの内部を通ってファン１１８Ａに吸い込まれ、電動機１１５に供給されることになる。そして、電動機１１５に供給された空気は、電動機１１５から発せられる熱を奪って電動機１１５を冷却すると共に、加熱されることになる。
【００４６】
（１−１０）調芯プランジャー
調芯プランジャー１１９は６つ存在しており、各調芯プランジャー１１９は、図５および図１３に示されるように円筒壁部Ｗｃの調芯プランジャー収容部Ｒｐに配設されている。なお、この調芯プランジャー１１９は、上述した通り、円筒壁部Ｗｃの半径方向に沿って延びるレール部ＲＬ（図１３参照）に沿って出没可能なように収容されている。調芯プランジャー１１９は、図１４に示されるように、主に、プランジャー本体１１９Ａおよびコイルバネ１１９Ｂから構成されている。プランジャー本体１１９Ａは、図１４に示されるように、角板部１１９ａ、部分球状突起部１１９ｂおよびコイルバネ取付突起部１１９ｃから形成されている。部分球状突起部１１９ｂは、図１４に示されるように角板部１１９ａの表側に形成されている。なお、この部分球状突起部１１９ｂは、後述するカップ１５０の下側円筒壁部（後述）１５１ｃに形成される角溝（後述）Ｇｒの溝幅よりもわずかに大きく形成されている。すなわち、カップ１５０が本体１１０に装着された状態では、部分球状突起部１１９ｂは角溝Ｇｒに完全に嵌まり込むことなく、その一部だけが角溝Ｇｒの角部に当接することになる。コイルバネ取付突起部１１９ｃは、図１４に示されるように角板部１１９ａの裏側から後方に向かって延びている。コイルバネ１１９Ｂは、プランジャー本体１１９Ａのコイルバネ取付突起部１１９ｃの外側に嵌め込まれており、プランジャー本体１１９Ａを円筒壁部Ｗｃの筒軸に向かって付勢している。
【００４７】
（１−１１）操作ノブ
【００４８】
操作ノブ１２０は、図１および図２に示されるように、本体１１０の筐体１１１の正面側の第１側壁部１１１ａ上に１つ設けられている。上述の通り、この操作ノブ１２０には、可変抵抗器ＶＲのツマミが取り付けられている。すなわち、使用者がこの操作ノブ１２０を回転させると可変抵抗器ＶＲの抵抗値が変化し、その結果、電動機１１５の回転速度が変化させられる。
【００４９】
（１−１２）回路基板
回路基板は、筐体１１１の内部に収容されており、制御線等を介して電動機１１５、可変抵抗器ＶＲ、回路保護装置１２１および本体側安全機構１２２等に接続されると共に、電気プラグコード１２３にも接続されている。
【００５０】
（１−１３）回路保護装置
回路保護装置１２１は、いわゆるサーキットプロテクターであって電動機１１５に接続される電気配線に過電流が生じたり、電気配線の短絡によって過負荷が生じたりしたときに自動で過電流を遮断する装置であって、内ケース１１３の回路保護装置保持部１１３Ｇに保持されている。
【００５１】
（１−１４）本体側安全機構
本体側安全機構１２２は、図３に示されるように、主に、本体側上下移動バー１２２Ａ、コイルバネ（図示せず）、マイクロスイッチ１２２Ｂから構成されている。本体側上下移動バー１２２Ａは、筐体１１１の本体側安全機構収容部１１１ｌの内部に上下移動自在に収容されている。また、この本体側上下移動バー１２２Ａは、コイルバネによって上方に向かって付勢されている。マイクロスイッチ１２２Ｂは、本体側上下移動バー１２２Ａの下方に配置されている。そして、本体側上下移動バー１２２Ａがコイルバネの付勢力によって上方に押し上げられている状態では、マイクロスイッチ１２２Ｂがオフ状態となっている。このため、この状態では、操作ノブ１２０が操作されても、ミキサー１００は全く動作しない。その一方、本体側上下移動バー１２２Ａがコイルバネの付勢力に逆らって下方に押し下げられると、マイクロスイッチ１２２Ｂがオン状態となる。そして、マイクロスイッチ１２２Ｂがオン状態となると、操作ノブ１２０の回転操作によりミキサー１００が動作可能な状態となる。
【００５２】
（１−１５）電気プラグコード
電気プラグコード１２３は、図１０に示されるように、主に、電気コード１２３Ａおよびプラグ１２３Ｂから構成されている。電気コード１２３Ａは、一端が回路基板に接続されており、もう一端がプラグ１２３Ｂに接続されている。プラグ１２３Ｂは、外部電源のソケットに対して抜き差し可能となっている。
【００５３】
（２）カップ
カップ１５０は、図１〜図４および図１５に示されるように、主に、カップ本体１５１、取っ手１５２およびカップ側安全機構１５３から構成される。以下、これらの構成要素について詳述する。
【００５４】
（２−１）カップ本体
カップ本体１５１は、図３および図４に示されるように、主に、側壁部材１５１Ａ、カッター付き底壁部材１５１Ｂ、第３環状シール部材ＳＬ３およびカップ側安全機構収容部１５１Ｃから構成されている。以下、これらの構成要素について詳述する。
【００５５】
（２−１−１）側壁部材
側壁部材１５１Ａは、ガラス製または樹脂製の筒状成形体であって、主に、本体部１５１ａ、底隅部１５１ｂおよび下側円筒壁部１５１ｃから形成されている。なお、図３に示される通り、この側壁部材１５１Ａには、底壁が存在しない。この側壁部材１５１Ａは、下側円筒壁部１５１ｃにカッター付き底壁部材１５１Ｂが装着されることによって初めて容器として機能する。
【００５６】
ところで、本体部１５１ａは、図１、図３および図１５に示されるように、略逆切頭円錐筒形状を呈している。なお、この本体部１５１ａの下端面は平坦な円環状面となっている。そして、この本体部１５１ａには、図１、図３および図１５に示されるように、注ぎ口Ｍｐが形成されており、その注ぎ口Ｍｐの逆側にカップ側安全機構収容部１５１Ｃが一体的に取り付けられている。本体部１５１ａおよび底隅部１５１ｂには、攪拌リブおよび排気通路として機能する凹部ＲＥが形成されている（図１、図３および図１５参照）。ところで、この凹部ＲＥは、図１、図３および図１５に示されるように斜め上方に向かって延びるように形成されている。そして、この凹部ＲＥは、カップ１５０が本体１１０に装着された状態において筐体１１１の円筒台座部１１１ｃ内の円筒形内部空間Ｓｃと連通するようにその奥行が設計されている。底隅部１５１ｂは、略円環状を呈する部位であって、図３に示されるように本体部１５１ａの下端付近から内側に向かうに従って下方に延びている。下側円筒壁部１５１ｃは、底隅部１５１ｂの内端付近から下方に向かって延びる略円筒形状の壁部位であって、その内側に雌ネジが形成されている。また、図１５に示されるように、この下側円筒壁部１５１ｃの外周には嵌込リブＲｙが配設されており、下側円筒壁部１５１ｃの外周面には角溝Ｇｒが形成されている。嵌込リブＲｙは、図１５に示されるように下側円筒壁部１５１ｃの外周面に等間隔に３つ形成されており、カップ１５０が本体１１０に装着される際、筐体１１１の本体部材１１１Ａの３つの角柱凹部Ｒｒに嵌まり込む。角溝Ｇｒは、図１５に示されるように下側円筒壁部１５１ｃの嵌込リブＲｙの間の下部において周方向に沿って形成されている。
【００５７】
（２−１−２）カッター付き底壁部材
カッター付き底壁部材１５１Ｂは、図１５および図１６に示されるように、主に、回転刃１５１ｄ、従動シャフト１５１ｅ、従動側カップリング１５１ｆ、軸受１５１ｇ、軸受け収容壁１５１ｈ、翼部１５１ｉ、円筒部１５１ｊ、円環部１５１ｋ、雄ネジ部１５１ｌおよび下端部１５１ｍから構成されている。
【００５８】
回転刃１５１ｄは、金属製の刃物であって、調理対象物を破砕しながら混合する役目を担っている。そして、図１６に示されるように、この回転刃１５１ｄの回転中心には従動シャフト１５１ｅが締結されている。従動シャフト１５１ｅは、先の説明の通り、回転刃１５１ｄの回転中心に締結されており、図１６に示されるように軸受１５１ｇによって軸が上下方向に沿うように支持されている。従動側カップリング１５１ｆは、図１６に示されるように従動シャフト１５１ｅの下端部に取り付けられており、カップ１５０が本体１１０に装着された状態において、駆動側カップリング１１７と噛み合って連結される（図３および図１６等参照。）。したがって、カップ１５０が本体１１０に装着された状態において、電動機１１５が駆動されると、その回転動力が上側駆動シャフト１１６Ａ、駆動側カップリング１１７および従動側カップリング１５１ｆを介して従動シャフト１５１ｅに伝達される。そして、その結果、回転刃１５１ｄが回転される。軸受１５１ｇは、特に限定されないが、例えば、滑り軸受や転がり軸受等であって、図１６に示されるように軸受け収容壁内に上下に一つずつ配設されている。そして、この軸受１５１ｇには、従動シャフト１５１ｅが回転自在に保持されている。軸受け収容壁１５１ｈは、図１６に示されるように上下２つの軸受１５１ｇを収容している。翼部１５１ｉは、図１６に示されるように、軸受け収容壁１５１ｈの高さ方向中央部から外周側に向かって広がっている。なお、この翼部１５１ｉは、切頭円錐筒形状を呈している。すなわち、断面視において、この翼部１５１ｉは、軸受け収容壁１５１ｈから外周側へ向かうに従って下方に傾斜している（図１６参照）。円筒部１５１ｊは、円筒形状を呈する部位であって、図１６に示されるように翼部１５１ｉの外周端部から下方に向かって延びている。円環部１５１ｋは、円環形状を呈する部位であって、図１６に示されるように円筒部１５１ｊの下端から外周側に向かって略水平方向に広がっている。雄ネジ部１５１ｌは、図１６に示されるように円環部１５１ｋの外周端部から下方に向かって延びている。そして、この雄ネジ部１５１ｌには外側に雄ネジが形成されている。下端部１５１ｍは、円筒形状を有する部材であって、雄ネジ部１５１ｌの下端から外周側に向かって僅かに延びた後に下方に向かって延びている。
【００５９】
（２−１−３）第３環状シール部材
第３環状シール部材ＳＬ３は、ゴムやエラストマーからなる略円環状の弾性部材であって、図６に示されるように側壁部材１５１Ａの底隅部１５１ｂの内側端部と、カッター付き底壁部材１５１Ｂの円環部１５１ｋとに密着している。
【００６０】
（２−１−４）カップ側安全機構収容部
カップ側安全機構収容部１５１Ｃは、図１および図３に示されるように側壁部材１５１Ａの本体部１５１ａの注ぎ口Ｍｐの逆側に形成されており、側壁部材１５１Ａの本体部１５１ａと一体とされている。そして、このカップ側安全機構収容部１５１Ｃには、図３に示されるようにカップ側安全機構１５３が収容されている。また、図１および図３に示されるように、このカップ側安全機構収容部１５１Ｃの上端部に取っ手１５２が一体的に取り付けられている。
【００６１】
（２−２）取っ手
取っ手１５２は、上述の通り、カップ側安全機構収容部１５１Ｃの上端部に取り付けられている（図１〜図３参照）。
【００６２】
（２−３）カップ側安全機構
カップ側安全機構１５３は、上述の通り、カップ側安全機構収容部１５１Ｃに収容されている（例えば、図３参照。）。このカップ側安全機構１５３は、図３に示されるように、主に、カップ側上下移動バー１５３Ａ、コイルバネ１５３Ｂおよび押し具１５３Ｃから構成されている。カップ側上下移動バー１５３Ａは、カップ側安全機構収容部１５１Ｃの内部に上下移動自在に収容されている。また、このカップ側上下移動バー１５３Ａの上端部には押し具１５３Ｃが取り付けられている。コイルバネ１５３Ｂは、押し具１５３Ｃを上方に向かって付勢している。すなわち、カップ側上下移動バー１５３Ａも押し具１５３Ｃと同様にコイルバネ１５３Ｂによって上方に向かって付勢されていることになる。押し具１５３Ｃは、先の説明の通り、カップ側上下移動バー１５３Ａの上端部に取り付けられている。そして、この押し具１５３Ｃは、蓋体１６０がカップ１５０に装着された際、蓋体１６０の突起部１６４によって押し下げられる。そして、蓋体１６０がカップ１５０に装着されていない状態では、カップ側上下移動バー１５３Ａがコイルバネ１５３Ｂの付勢力によって上方に押し上げられており、本体側上下移動バー１２２Ａを下方に押し下げることがない。このため、この状態では、本体側安全機構１２２のマイクロスイッチ１２２Ｂがオフ状態となっている。このため、この状態では、操作ノブ１２０が操作されても、ミキサー１００は全く作動しない。その一方、蓋体１６０がカップ１５０に装着された状態では、カップ側安全機構１５３の押し具１５３Ｃが蓋体１６０の突起部１６４によって押し下げられ、その結果、カップ側上下移動バー１５３Ａがコイルバネ１５３Ｂの付勢力によって下方に押し上げられる。そして、カップ側上下移動バー１５３Ａがコイルバネ１５３Ｂの付勢力に逆らって下方に押し下げられると、カップ側上下移動バー１５３Ａが本体側上下移動バー１２２Ａに当接して本体側上下移動バー１２２Ａをコイルバネの付勢力に逆らって下方に押し下げる。その結果、マイクロスイッチがオン状態となる。そして、マイクロスイッチがオン状態となると、操作ノブ１２０の回転操作によりミキサー１００が作動可能な状態となる。
【００６３】
（３）蓋体
蓋体１６０は、図３に示されるように、主に、蓋本体部１６１、円筒壁部１６２、給排気口部１６３および突起部１６４から構成される。蓋本体部１６１は、図１〜図４および図１５に示されるように円盤部位１６１Ａ、注ぎ口閉塞部位１６１Ｂおよび延設部位１６１Ｃから形成されている。円盤部位１６１Ａは、略円盤形状を有する板状部位である。注ぎ口閉塞部位１６１Ｂは、図２に示されるように平面視において円盤部位１６１Ａから僅かに突出する部位であって、蓋体１６０がカップ１５０に装着された状態において側壁部材１５１Ａの本体部１５１ａの注ぎ口Ｍｐを覆う。延設部位１６１Ｃは、注ぎ口閉塞部位１６１Ｂの反対側において円盤部位１６１Ａから注ぎ口閉塞部位１６１Ｂの延設方向と逆方向に向かって延びている。円筒壁部１６２は、図３に示されるように蓋本体部１６１の円盤部位１６１Ａの外周近傍の下面から下方に向かって延びている。そして、この円筒壁部１６２の外周には、図３および図４に示されるように第４環状シール部材ＳＬ４が配設されている。給排気口部１６３は、図３および図４に示されるように蓋本体部１６１の中央部分に形成されており、略円筒形状を呈している。そして、図３および図４に示されるように、この給排気口部１６３には貫通孔Ｂｏが形成されている。この貫通孔Ｂｏが、蓋体１６０の開け閉め時の空気の給気口または排気口として機能する。突起部１６４は、図３に示されるように延設部位１６１Ｃの下面から下方に向かって延びている。そして、蓋体１６０がカップ１５０に装着されると、突起部１６４は、カップ側安全機構１５３のカップ側上下移動バー１５３Ａに当接してカップ側上下移動バー１５３Ａを押し下げる。
【００６４】
＜ミキサーの組立の例＞
先ず、カッター付き底壁部材１５１Ｂの円環部１５１ｋの上に第３環状シール部材ＳＬ３を配設した後に、側壁部材１５１Ａにカッター付き底壁部材１５１Ｂを螺合してカップ１５０をつくる。
【００６５】
次に、上述の通りにして組み立てられたカップ１５０の下側円筒壁部１５１ｃおよび下端部１５１ｍを円筒台座部１１１ｃの内側に挿入して、カップ１５０を本体１１０に載置する。そして、このとき、嵌込リブＲｙが筐体１１１の本体部材１１１Ａの３つの角柱凹部Ｒｒに嵌まり込むと共に、調芯プランジャー１１９の部分球状突起部１１９ｂがカップ１５０の下側円筒壁部１５１ｃの角溝Ｇｒに嵌まり込む。また、調芯プランジャー１１９の部分球状突起部１１９ｂがカップ１５０の下側円筒壁部１５１ｃの角溝Ｇｒに嵌まり込む際、「カチッ」というクリック音が鳴る。
【００６６】
＜ミキサーの動作＞
先ず、上述のようにして組み立てられた蓋なし状態のミキサー１００のカップ１５０内に飲食材料を投入した後、カップ１５０に蓋体１６０を装着する。すると、蓋体１６０の突起部１６４によりカップ側安全機構１５３のカップ側上下移動バー１５３Ａがコイルバネ１５３Ｂの付勢力に逆らって押し下げられる。その結果、本体１１０の本体側安全機構１２２のカップ側上下移動バー１５３Ａがコイルバネの付勢力に逆らって押し下げられ、マイクロスイッチがオン状態となる。この状態で操作ノブ１２０が回転操作されると、電動機１１５により回転刃１５１ｄが、操作ノブ１２０の回転角度に応じた速度で回転して、カップ１５０内の飲食材料を切断・せん断すると共に混合する。なお、このとき、調芯プランジャー１１９によって駆動側カップリング１１７の軸芯と従動側カップリング１５１ｆの軸芯との調芯が行われる。
【００６７】
＜電動機の排熱処理＞
上述の通り、使用者による操作ノブの回転操作により電動機１１５が動作し出すと、回転刃１５１ｄが回転し出すと共に、ファン１１８Ａが回転し出す。そして、ファン１１８Ａが回転すると、外部の空気が給気通路Ｐｓ、給気口Ｍｓおよび円筒壁部１１１ｇの内部を通ってファン１１８Ａに吸い込まれ、電動機１１５に供給される。電動機１１５に供給された空気は、電動機１１５から発せられる熱を奪って電動機１１５を冷却すると共に、自身が加熱される。そして、その加熱された空気（以下「加熱空気」という。）の一部は、ａ１）電動機カバー１１２の第２天壁開口Ｏｕ２と上側駆動シャフト１１６Ａとの隙間、ａ２）電動機カバー１１２の第２口部１１２Ｂと上側駆動シャフト１１６Ａとの隙間、ａ３）内ケース１１３の第３天壁開口Ｏｕ３と上側駆動シャフト１１６Ａとの隙間、ａ４）内ケース１１３の第３口部１１３Ｂと駆動側カップリング１１７との隙間、ａ５）筐体１１１の円筒台座部１１１ｃ内の円筒形内部空間Ｓｃを通って、ａ６）透明カバー１１１Ｅの突起部Ｐｒによって形成される透明カバー１１１Ｅと、カップ１５０の側壁部材１５１Ａの本体部１５１ａの下端面との隙間、および、ａ７）側壁部材１５１Ａの凹部ＲＥから外部へ排出される。
【００６８】
また、加熱空気の他の一部は、ｂ１）電動機カバー１１２の第２側壁開口Ｏｓ２、ｂ２）第１環状シール部材１１４の切り欠き、ｂ３）第１環状シール部材１１４よりも上側の電動機カバー１１２の部位と、第１環状シール部材１１４よりも上側の内ケース１１３の部位との隙間を通って、ａ２）電動機カバー１１２の第２口部１１２Ｂと上側駆動シャフト１１６Ａとの隙間に流れる加熱空気と合流した後、上述のａ３）〜ａ５）の経路を通ってａ６）透明カバー１１１Ｅの突起部Ｐｒによって形成される透明カバー１１１Ｅと、カップ１５０の側壁部材１５１Ａの本体部１５１ａの下端面との隙間、および、ａ７）側壁部材１５１Ａの凹部ＲＥから外部へ排出される。
【００６９】
さらに、加熱空気の他の一部は、ｂ１）電動機カバー１１２の第２側壁開口Ｏｓ２、ｃ１）第１環状シール部材１１４よりも下側の電動機カバー１１２の部位と、第１環状シール部材１１４よりも下側の内ケース１１３の部位との隙間、ｃ２）内ケース１１３の第３側壁部１１３Ｄの第３１側壁開口Ｏｓ３１および第３２側壁開口Ｏｓ３２を通って底壁部材１１１Ｂの排気口Ｍｅから外部へ排出される。
【００７０】
＜本体に液状物が浸入した場合の液状物の流れ＞
例えば、水洗時の水や、カップ１５０中の液状調理物が漏れ出た際の漏出物が、筐体１１１の円筒台座部１１１ｃ内の円筒形内部空間Ｓｃに浸入してきた場合、その水や漏出物（以下「液状物」とまとめる。）は、駆動側カップリング１１７に落ちた後に駆動側カップリング１１７を伝って、または、第１天壁部１１１ｂに落ちて直接に、第１天壁開口Ｏｕ１に浸入する。第１天壁開口Ｏｕ１に浸入した液状物は、その後、内ケース１１３の部分囲い壁部１１３Ｃと第３口部１１３Ｂとの間の空間に落下した後、溝形成壁部１１３Ｅの溝を通って下方へと流れて、筐体１１１の底壁部材１１１Ｂの第１排水部１１１ｊおよび第２排水部１１１ｋから排出される。
【００７１】
また、第１天壁開口Ｏｕ１に浸入した液状物が、駆動側カップリング１１７の軸受け部１１７Ａを伝い落ちて、第３天壁開口Ｏｕ３と上側駆動シャフト１１６Ａとの隙間に浸入することがあり得るが、かかる場合、その液状物は、電動機カバー１１２の第２天壁部１１２Ａのうち第２天壁開口Ｏｕ２よりも外側部分に落下した後（これは、上述の通り、軸受け部１１７Ａの外周面が電動機カバー１１２の第２口部１１２Ｂの外周面の外側に位置しているため。）、ｂ３）第１環状シール部材１１４よりも上側の電動機カバー１１２の部位と、第１環状シール部材１１４よりも上側の内ケース１１３の部位との隙間、ｂ２）第１環状シール部材１１４の切り欠き、ｃ１）第１環状シール部材１１４よりも下側の電動機カバー１１２の部位と、第１環状シール部材１１４よりも下側の内ケース１１３の部位との隙間を流れて、筐体１１１の底壁部材１１１Ｂの第１排水部１１１ｊおよび第２排水部１１１ｋから排出される。
【００７２】
＜本発明の実施の形態に係るミキサーの特徴＞
（１）
本発明の実施の形態に係るミキサー１００では、筐体１１１の第１天壁部１１１ｂに第１天壁開口Ｏｕ１が形成されており、その第１天壁開口Ｏｕ１を覆うように駆動側カップリング１１７が配設されている。また、このミキサー１００では、第１天壁開口Ｏｕ１の下側に位置する内ケース１１３の第３天壁部１１３Ａにおいて第１天壁開口Ｏｕ１の外側に部分囲い壁部１１３Ｃが設けられていると共に、その部分囲い壁部１１３Ｃの内側に第３天壁部１１３Ａが設けられている。また、部分囲い壁部１１３Ｃの端部から第３側壁部１１３Ｄの外側面に沿って下方に向かって延びるように溝形成壁部１１３Ｅが形成されている。このため、このミキサー１００では、液状物が、筐体１１１の円筒台座部１１１ｃ内の円筒形内部空間Ｓｃに浸入してきた場合、その液状物は、駆動側カップリング１１７に落ちた後に駆動側カップリング１１７を伝って、または、第１天壁部１１１ｂに落ちて直接に、第１天壁開口Ｏｕ１に浸入する。第１天壁開口Ｏｕ１に浸入した液状物は、その後、内ケース１１３の部分囲い壁部１１３Ｃと第３口部１１３Ｂとの間の空間に落下した後、溝形成壁部１１３Ｅの溝を通って下方へと流れる。したがって、このミキサー１００では、上述のような場合において、電動機１１５まで到達する液状物の量を低減するか、液状物が電動機１１５まで到達することを抑制することができる。したがって、このミキサー１００では、電動機１１５を適切に保護することができる。
【００７３】
（２）
本発明の実施の形態に係るミキサー１００では、部分囲い壁部１１３Ｃの上端よりも第２筒壁部の上端が高い位置にある。このため、このミキサー１００では、部分囲い壁部１１３Ｃと第３口部１１３Ｂとの間の空間から液状物が溢れ出す場合、液状物は部分囲い壁部側から溢れ出すことになる。このため、このミキサー１００では、電動機１１５まで到達する液状物の量を低減するか、液状物が電動機１１５まで到達することを抑制することができる。
【００７４】
（３）
本発明の実施の形態に係るミキサー１００では、部分囲い壁部１１３Ｃの上端と、第１天壁部１１１ｂのうち第１天壁開口Ｏｕ１の縁の外側部分の下面とに線状シール部材ＳＬ１が密着している。このため、このミキサー１００では、液状物が、部分囲い壁部１１３Ｃと第１天壁部１１１ｂとの間に浸入することを防止することができる。
【００７５】
（４）
本発明の実施の形態に係るミキサー１００では、内ケース１１３の外側に設けられる回路保護装置保持部１１３Ｇに回路保護装置１２１が保持されており、その反対側に溝形成壁部１１３Ｅが形成されている。このため、このミキサー１００では、回路保護装置１２１まで到達する液状物の量をさらに低減するか、液状物が回路保護装置１２１まで到達することを抑制することができる。 
【００７６】
（５）
本発明の実施の形態に係るミキサー１００では、平面透視において駆動側カップリング１１７の軸受け部１１７Ａが第２天壁開口Ｏｕ２を覆っている。このため、このミキサー１００では、液状物が駆動側カップリング１１７の軸受け部１１７Ａを伝い落ちてくるような場合があっても、第２天壁開口Ｏｕ２に浸入する液状物の量を低減するか、液状物が第２天壁開口Ｏｕ２に浸入することを抑制することができる。したがって、このミキサー１００では、上述のような場合において、電動機１１５まで到達する液状物の量を極めて低減するか、液状物が電動機１１５まで到達することを抑制することができる。
【００７７】
（６）
本発明の実施の形態に係るミキサー１００では、電動機カバー１１２において第２口部１１２Ｂが形成されている。このため、このミキサー１００では、第１天壁開口Ｏｕ１から液状物が浸入してきた場合であっても、電動機１１５まで到達する液状物の量を極めて低減するか、液状物が電動機１１５まで到達することを抑制することができる。
【００７８】
（７）
本発明の実施の形態に係るミキサー１００では、電動機カバー１１２と内ケース１１３との間に第１環状シール部材１１４が配設されている。このため、このミキサー１００では、電動機カバー１１２と内ケース１１３との間に生じる隙間の幅を一定することができると共に、第３天壁開口Ｏｕ３から第２天壁部１１２Ａに落ちた液状物を下方へと導くことができる。このため、このミキサー１００では、電動機１１５や回路保護装置１２１まで到達する液状物の量を極めて低減するか、液状物が電動機１１５や回路保護装置１２１まで到達することを抑制することができる。
【００７９】
（８）
本発明の実施の形態に係るミキサー１００では、電動機カバー１１２において第２側壁開口Ｏｓ２の上側部分の外面が第２側壁開口Ｏｓ２の下側部分の内面よりも外側に位置している。このため、このミキサー１００では、第２側壁開口Ｏｓ２を介して電動機１１５の排熱を行うことができると共に、第２側壁開口Ｏｓ２の上方から液状物が落ちてくる場合であっても、電動機カバー内に浸入する液状物の量を低減するか、液状物が電動機カバー内に浸入してくることを抑制することができる。
【００８０】
＜変形例＞
（Ａ）
先の実施の形態に係るミキサー１００では部分囲い壁部１１３Ｃの上端よりも第３口部１１３Ｂの上端が高い位置にあったが、第３口部１１３Ｂの上端は、部分囲い壁部１１３Ｃの上端よりも低い位置にあってもよく、同じ高さ位置にあってもよい。
【００８１】
（Ｂ）
先の実施の形態では本願発明が「回転シャフトが上側駆動シャフト１１６Ａと従動シャフト１５１ｅに分割されているミキサー１００」に適用されたが、本願発明は、「上側駆動シャフト１１６Ａと従動シャフト１５１ｅが一体化されているミキサー１００」にも適用することができる。
【００８２】
（Ｃ）
先の実施の形態に係るミキサー１００では平面視において第１天壁開口Ｏｕ１が駆動側カップリング１１７に完全に覆われたが、第１天壁開口Ｏｕ１が駆動側カップリング１１７（の傘部）に完全に覆われなくてもよい。すなわち、平面視において第１天壁開口Ｏｕ１の一部又は全部が駆動側カップリング１１７（の傘部）の外縁から突出していてもよい。
【００８３】
（Ｄ）
先の実施の形態では本願発明をミキサー１００に適用したが、本願発明はフードプロセッサ等の他の回転式破砕混合調理器に適用されてもよい。
【００８４】
＜備考＞
なお、上記変形例（Ａ）〜（Ｄ）は各例単独で適用されてもよいし、２例を組わされて適用されてもよいし、３例を組わされて適用されてもよいし、４例全てを組み合わせて適用されてもよい。
【符号の説明】
【００８５】
１００    ：ミキサー（回転式破砕混合調理器）
１１０    ：本体
１１１    ：筐体
１１１ｂ  ：第１天壁部
１１２    ：電動機カバー
１１２Ａ  ：第２天壁部（第３天壁部）
１１２Ｂ  ：第２口部（第３筒壁部）
１１２Ｃ  ：第２側壁部（第３側壁部）
１１３    ：内ケース（電動機収容体）
１１３Ａ  ：第３天壁部（第２天壁部）
１１３Ｂ  ：第３口部（第２筒壁部）
１１３Ｃ  ：部分囲い壁部（囲い壁部）
１１３Ｄ  ：第３側壁部（第２側壁部）
１１４    ：第１環状シール部材（環状の密着部材）
１１５    ：電動機
１１６Ａ  ：上側駆動シャフト（回転軸，駆動側回転軸）
１１７    ：駆動側カップリング（駆動側連結部）
１１７Ａ  ：軸受け部
１２１    ：回路保護装置（電気部品）
１５０    ：カップ（容器）
１５１ｂ  ：底隅部（底壁部）
１５１ｄ  ：回転刃
１５１ｅ  ：従動シャフト（回転軸，従動側回転軸）
１５１ｆ  ：従動側カップリング（従動側連結部）
１５１ｉ  ：翼部（底壁部）
Ｏｓ２    ：第２側壁開口（貫通孔）
Ｏｕ１    ：第１天壁開口（第１開口）
Ｏｕ２    ：第２天壁開口（第３開口）
Ｏｕ３    ：第３天壁開口（第２開口）
ＳＬ１    ：線状シール部材（密着部材）
【図１】
2020116101.tif 000003
【図２】
2020116101.tif 000004
【図３】
2020116101.tif 000005
【図４】
2020116101.tif 000006
【図５】
2020116101.tif 000007
【図６】
2020116101.tif 000008
【図７】
2020116101.tif 000009
【図８】
2020116101.tif 000010
【図９】
2020116101.tif 000011
【図１０】
2020116101.tif 000012
【図１１】
2020116101.tif 000013
【図１２】
2020116101.tif 000014
【図１３】
2020116101.tif 000015
【図１４】
2020116101.tif 000016
【図１５】
2020116101.tif 000017
【図１６】
2020116101.tif 000018
【図１７】
2020116101.tif 000019